(57)【要約】      （修正有）【課題】シャフトの上端からクラブヘッドの方へ延びる複数の交互の円形及び矩形の横断面及びシャフトの交互の横断面輪郭に密接に従う対応するグリップを含む改良されたゴルフクラブシャフト。【解決手段】矩形横断面はゴルフクラブのシャフトをゴルファのいずれかの手の選択された指の間に適合させ、余計な動きの原因となりうるゴルファの腕の付加的な緊張を作らずにクラブ上のゴルファのグリップを堅固なものにする。交互の横断面領域システムを使用する改良されたゴルフクラブシャフトグリップはゴルファの使用のため通常のゴルフクラブシャフトに取付け可能である。ゴルフスイング中にゴルファに追加の安定性を与えるゴルフクラブの改良された保持方法も教示される。【選択図】図２
2004255179.tif 000002
【特許請求の範囲】
【請求項１】
ホーゼルを介してシャフトに取り付けられたクラブヘッドを有するゴルフクラブであって、シャフトは上端及び下端を有し、下端はホーゼルに取付け可能であり、シャフトは上区域、下区域及び上区域と下区域の中間の中央区域を備え、上区域はシャフトの上端から中央区域の一端まで延び、下区域はシャフトの下端から上区域とは反対の中央区域の端まで延び、上及び下区域は通常のゴルフクラブシャフトに近似する円形横断面を有し、シャフトの中央区域はそれを通して延びる複数の交互の矩形及び円形横断面を有し、円形横断面はシャフトの上及び下区域の横断面に近似し、矩形横断面は長さ、幅、及び高さを有し、矩形横断面の長さは幅より大きく、矩形横断面の幅及び高さはゴルファの少なくとも一方の手の指の間に前記矩形横断面を挿入するのに十分であり、矩形横断面の長さは中央区域の円形横断面の直径とほぼ同じであり、
さらにシャフトはシャフトに隣接してシャフトの一部を包囲するグリップを備え、グリップはシャフトの上端からシャフトの中央区域まで延びる第一グリップ部分、中央区域上を延びる第二グリップ部分、及び中央区域からシャフトの下端に向かって延びる下区域の一部をカバーする第三グリップ部分を有し、第一グリップ部分は一般に円柱形横断面を有し、グリップの第二部分は対応する交互の矩形及び円形横断面を備え、円形横断面はシャフトの円形横断面の各長さに沿って凸状であり、グリップの矩形横断面はシャフトの矩形横断面に対応し、グリップの第三部分はシャフトの下区域に対して凸状であるゴルフクラブ。
【請求項２】
シャフトの矩形横断面に対応するグリップの矩形横断面は横断面の長さがクラブヘッドに対して垂直に向けられるように位置されている請求項１に記載のゴルフクラブ。
【請求項３】
グリップの凸状形状部分の直径はグリップの矩形横断面の長さより大きい請求項１に記載のゴルフクラブ。
【請求項４】
グリップ及びシャフトの矩形横断面の幅及び高さはゴルファがグリップ及びシャフトの矩形横断面のうちの少なくとも一つの各長さに沿って少なくとも一本の指を位置させるのに十分なサイズのものである請求項１に記載のゴルフクラブ。
【請求項５】
シャフトの下端に取付けられたヘッドを有するゴルフクラブのグリップであって、シャフトは下端とは反対の上端を有し、グリップはシャフトの上端からシャフトの上端と下端の中間の末端位置に向かって延びる管を備え、管はそれを通してシャフトを挿入するのに十分なサイズの内径を有し、管はさらにシャフトの上端の近くの第一端及び末端位置の第二端を有し、グリップはさらに輪郭を描かれた領域を有する外部表面を備え、前記輪郭は第一端と第二端の中間のグリップの長手方向軸に関するものであるグリップ。
【請求項６】
外部表面は第一輪郭区域及び第二輪郭区域を備え、第一輪郭区域はグリップの第一端から第一と第二輪郭区域の間の移行点まで延び、第二輪郭区域は移行点からグリップの第二端まで延びる請求項５に記載のグリップ。
【請求項７】
外部表面の第一輪郭区域は円柱形である請求項６に記載のグリップ。
【請求項８】
外部表面の第二輪郭区域は外部表面の第一輪郭区域の延長部である請求項７に記載のグリップ。
【請求項９】
外部表面の第二輪郭区域は凸状である請求項７に記載のグリップ。
【請求項１０】
外部表面の第二輪郭区域は第一部分及び第二部分を有し、第一部分は移行点から延び、第二部分は第一部分からグリップの第二端まで延び、第一部分はグリップの第一輪郭区域に近似する外部表面輪郭を有し、第二部分は第一部分の外径より大きい外径を有する幾何学的形状を持つ請求項７に記載のグリップ。
【請求項１１】
外部表面の第二輪郭区域は第一部分及び第二部分を有し、第一部分は移行点から延び、第二部分は第一部分からグリップの第二端まで延び、第一部分は凸状であり、第二部分はグリップの第一輪郭区域に近似する請求項７に記載のグリップ。
【請求項１２】
外部表面の第二輪郭区域は第一部分、第二部分及び第三部分を有し、第一部分は移行点から第二部分まで延び、第二部分は第三部分まで延び、第三部分はグリップの第二端まで延び、第一及び第三部分は規定された直径を有する凸状であり、第二部分はグリップの第一輪郭区域に近似する請求項７に記載のグリップ。
【請求項１３】
グリップの第二輪郭区域の第二部分は第二部分がゴルフクラブ上の保持を確立するためにゴルファの指の間に挿入可能であるような十分なサイズの外径を有する請求項１２に記載のグリップ。
【請求項１４】
ゴルフクラブのグリップ方法であって、前記クラブはシャフトの一端に取付けられたヘッドを有し、ヘッドはシャフトに一般的に垂直であり、シャフトはヘッドからシャフトの上端まで上方に延びる長手方向軸を有し、シャフトはゴルファによって扱うことが可能であり、前記方法は：
コントロールする手をシャフトの長手方向軸に垂直にかつヘッドに垂直に向けるステップ；
コントロールする手の２本の指の間にシャフトを置くステップ；
コントロールする手をシャフトのまわりで閉じ、シャフトを指に対向するコントロールする手の部分に載せるステップ；
シャフトをガイドする手で包囲し、ガイドする手の親指をシャフトの長手方向軸に平行にし、ガイドする手をシャフトの長手方向軸に関してコントロールする手に対して垂直な関係にするステップ
を含む方法。
【請求項１５】
ゴルファは左手及び右手を有し、ゴルファの左手はコントロールする手であり、ゴルファの右手はガイドする手である請求項１４に記載の方法。
【請求項１６】
ゴルファは右手及び左手を有し、ゴルファの右手はコントロールする手であり、ゴルファの左手はガイドする手である請求項１４に記載の方法。
【請求項１７】
シャフトを置くステップはコントロールする手の人差し指と中指の間にシャフトを置くことを含む請求項１４に記載の方法。
【請求項１８】
シャフトを置くステップはコントロールする手の中指と薬指の間にシャフトを置くことを含む請求項１４に記載の方法。
【請求項１９】
シャフトを置くステップはコントロールする手の薬指と小指の間にシャフトを置くことを含む請求項１４に記載の方法。
【請求項２０】
包囲するステップはコントロールする手とシャフトの上端の中間のシャフト上にガイドする手を置くことを含む請求項１４に記載の方法。
【請求項２１】
包囲するステップはコントロールする手とクラブのヘッドの中間のシャフト上にガイドする手を置くことを含む請求項１４に記載の方法。
【請求項２２】
包囲するステップはガイドする手の少なくとも１本の指をシャフトの長手方向軸に平行に延ばすことをさらに含む請求項１４に記載の方法。
【請求項２３】
少なくとも１本の指は人差し指を含む請求項２２に記載の方法。
【請求項２４】
ゴルフクラブのグリップ方法であって、前記クラブはシャフトの一端に取付けられたヘッドを有し、ヘッドはシャフトに一般的に垂直であり、シャフトはヘッドからシャフトの上端まで上方に延びる長手方向軸を有し、シャフトはゴルファによって扱うことが可能であり、前記方法は：
コントロールする手をシャフトの長手方向軸に平行に向け、かつシャフトがコントロールする手とヘッドの中間になるようにヘッドの方向に向けるステップ；
コントロールする手の２本の指の間にシャフトを置くステップ；
コントロールする手をシャフトのまわりで閉じ、シャフトをコントロールする手のひらに載せるステップ；
シャフトをガイドする手で包囲し、ガイドする手の親指をシャフトの長手方向軸に平行にしてクラブのヘッドの方に向け、ガイドする手をシャフトの長手方向軸に関してコントロールする手に対して垂直な関係にするステップ
を含む方法。
【請求項２５】
ゴルファは左手及び右手を有し、ゴルファの左手はコントロールする手であり、ゴルファの右手はガイドする手である請求項２４に記載の方法。
【請求項２６】
ゴルファは右手及び左手を有し、ゴルファの右手はコントロールする手であり、ゴルファの左手はガイドする手である請求項２４に記載の方法。
【請求項２７】
シャフトを置くステップはコントロールする手の人差し指と中指の間にシャフトを置くことを含む請求項２４に記載の方法。
【請求項２８】
シャフトを置くステップはコントロールする手の中指と薬指の間にシャフトを置くことを含む請求項２４に記載の方法。
【請求項２９】
シャフトを置くステップはコントロールする手の薬指と小指の間にシャフトを置くことを含む請求項２４に記載の方法。
【請求項３０】
包囲するステップはコントロールする手とシャフトの上端の中間のシャフト上にガイドする手を置くことを含む請求項２４に記載の方法。
【請求項３１】
包囲するステップはコントロールする手とゴルフクラブのヘッドの中間のシャフト上にガイドする手を置くことを含む請求項２４に記載の方法。
【請求項３２】
包囲するステップはガイドする手の少なくとも１本の指をシャフトの長手方向軸に平行に延ばすことをさらに含む請求項２４に記載の方法。
【請求項３３】
少なくとも１本の指は人差し指を含む請求項３２に記載の方法。
【請求項３４】
ゴルフクラブのグリップ方法であって、前記クラブはシャフトの一端に取付けられたヘッドを有し、ヘッドはシャフトに一般的に垂直であり、シャフトはヘッドからシャフトの上端まで上方に延びる長手方向軸を有し、シャフトはゴルファによって扱うことが可能であり、前記方法は：
コントロールする手をシャフトの長手方向軸に垂直にかつヘッドに垂直に向けるステップ；
コントロールする手の２本の指の間にシャフトを置くステップ；
コントロールする手をシャフトのまわりで閉じ、シャフトを指に対向するコントロールする手の部分に載せるステップ；
シャフトに関するコントロールする手の向きに平行にガイドする手を向けるステップ；
ガイドする手の２本の指の間にシャフトを置くステップ；
ガイドする手をシャフトのまわりで閉じ、ガイドする手の親指をシャフトの長手方向軸に平行にし、ガイドする手はシャフトの長手方向軸に関してコントロールする手に対して垂直な関係にするステップ
を含む方法。
【請求項３５】
ゴルファは右手及び左手を有し、ゴルファの左手はコントロールする手であり、ゴルファの右手はガイドする手である請求項３４に記載の方法。
【請求項３６】
ゴルファは右手及び左手を有し、ゴルファの右手はコントロールする手であり、ゴルファの左手はガイドする手である請求項３４に記載の方法。
【請求項３７】
シャフトを置くステップはコントロールする手の人差し指と中指の間にシャフトを置くことを含む請求項３４に記載の方法。
【請求項３８】
シャフトを置くステップはコントロールする手の中指と薬指の間にシャフトを置くことを含む請求項３４に記載の方法。
【請求項３９】
シャフトを置くステップはコントロールする手の薬指と小指の間にシャフトを置くことを含む請求項３４に記載の方法。
【請求項４０】
包囲するステップはコントロールする手とシャフトの上端の中間のシャフト上にガイドする手を置くことを含む請求項３４に記載の方法。
【請求項４１】
包囲するステップはコントロールする手とクラブのヘッドの中間のシャフト上にガイドする手を置くことを含む請求項３４に記載の方法。
【請求項４２】
包囲するステップはガイドする手の少なくとも１本の指をシャフトの長手方向軸に平行に延ばすことをさらに含む請求項３４に記載の方法。
【請求項４３】
少なくとも１本の指は人差し指を含む請求項４２に記載の方法。
【発明の詳細な説明】
【発明の詳細な説明】
【０００１】
発明の分野
本発明は改良されたゴルフクラブシャフト及びグリップ及びゴルフクラブの改良されたグリップ方法に関する。
【０００２】
背景技術
ゴルフは多数の全ての年齢層の人で人気のある楽しい競争的なスポーツである。そのスポーツをうまくプレーするために必要な技術の一つはゴルフボールに接触するためにクラブをスイングする前、中及び後にゴルフクラブのコントロールを維持する能力である。この技術はパットをするときに特に重要である。しかしながら、多くのゴルファは通常のグリップを使用するときスイング中にゴルフクラブの適切な姿勢を維持しようと努力する。かくして、ゴルフクラブは不正確な角度でゴルフボールに当たり、ゴルフボールを望ましくない方向に飛ばすことになる。
【０００３】
ゴルフスイング中、ゴルフクラブのかかる余計な動きを防止する試みには手首の動きを防止するために意図される手首の突っ張りが含まれ、それによってゴルフクラブの対応する動きを防止する。
【０００４】
特にパターについては、ゴルフスイング中ゴルフクラブを良好にコントロールするための様々な手段が力を発揮する。例えば、米国特許Ｎｏ．３６７９２０７はゴルファが通常のゴルフスタンスの代わりに一種のクローケースタンスを使用することができるゴルフパターの構成を開示する。特許されたクラブのシャフトは通常のパターよりかなり長く、一方の手でクラブをシャフトの端でグリップし、他方の手でシャフトをバランスの中心でグリップすることによって使用され、かくしてクラブの余計な動きを防止する一種の支点効果を創る。米国特許Ｎｏ．４５９２５５２及びＤ２０１２５０の如き他の発明はゴルフクラブのシャフトを中央グリップの上に延ばしてグリップ位置の上下がほぼ同じ重量を有するようにしたクラブを開示する。かかるつり合い平衡もまた、スイング中クラブの余計な動きをコントロールすると考えられている。
【０００５】
これらの方法は有効であるかもしれないが、それらはスイングされるゴルフクラブの余計な動きをコントロールするという極めて重要な点に対応していない。それらはゴルフクラブがゴルファによってグリップされる方法に対応していない。従って、改良されたグリップを与えるゴルフクラブ及びかかる望ましくない動きをコントロールするゴルフクラブをグリップする方法が望まれている。
【０００６】
発明の概要
本発明の改良されたゴルフクラブシャフト及びグリップ及びゴルフクラブのグリップ方法はホーゼルを介してシャフトに取付けられたクラブヘッドを有するゴルフクラブをゴルファに提供することを提案するものであり、そこではシャフトは（ホーゼルの反対側の）シャフトの上端から延びる複数の交互の円形及び矩形の横断面を含む。シャフトの一部をカバーするグリップはシャフトの交互の横断面の輪郭に密接に従う。矩形横断面はゴルフクラブのシャフトがゴルファのいずれかの手の選択された指の間に適合させることができ、かくして余計な動きを生じうるゴルファの腕の追加の緊張を作らずにクラブ上のゴルファのグリップを堅固なものにする。さらに、かかるグリップはゴルファの手首が手と一直線に並ぶことを可能にし、それはゴルフクラブのよりコントロールされたグリップ、続いてよりコントロールされたスイングを与える。
【０００７】
本発明はまた、通常のゴルフクラブシャフトに装着されうる様々なグリップ構成も提供する。これらのグリップ構成はゴルファがゴルフスイング中にゴルフクラブシャフトをグリップするかもしれない様々な位置を与える。
【０００８】
本発明はまた、シャフト及び／又はグリップの好ましい例が使用されるゴルフクラブを保持する方法を教示し、その方法はスイング中さらなる安定性を与える。
【０００９】
図面の簡単な記述
本発明のさらなる特徴、具体例及び利点は図面を参照して以下の詳細な記述から明らかになるだろう。
【００１０】
図１はゴルフクラブのスイングの準備中のゴルフクラブを持つゴルファを図示する本発明の好ましい例の一つによるゴルフクラブの透視図である。
【００１１】
図２はゴルフクラブシャフト及びグリップの好ましい例の形状を図示する側面図である。
【００１２】
図３はクラブシャフトとグリップ側面の間の移行部を図示する図２の一領域の拡大図である。
【００１３】
図４はクラブシャフト及びグリップの一つの輪郭を図示する線４−４に沿ってとった図２のゴルフクラブの横断面である。
【００１４】
図５はクラブシャフト及びグリップの第二の輪郭を図示する線５−５に沿ってとった図２のゴルフクラブの横断面である。
【００１５】
図６はクラブシャフト及びグリップの輪郭を図示する図２のゴルフクラブの正面図である。
【００１６】
図７は通常のシャフト及びグリップ輪郭を有するゴルフクラブを図示する側面図である。
【００１７】
図８はクラブシャフトを包囲する本発明のグリップの一例を図示する図７と同様のゴルフクラブシャフトを示す。
【００１８】
図９はクラブシャフトを包囲する本発明のグリップの別の例を図示する図７と同様のゴルフクラブシャフトを示す。
【００１９】
図１０はクラブシャフトを包囲する本発明のグリップの別の例を図示する図７と同様のゴルフクラブシャフトを示す。
【００２０】
図１１はクラブシャフトを包囲する本発明のグリップの別の例を図示する図７と同様のゴルフクラブシャフトを示す。
【００２１】
図１２はクラブシャフトを包囲する本発明のグリップの別の例を図示する図７と同様のゴルフクラブシャフトを示す。
【００２２】
図１３−１６は本発明の好ましい例の一つによるゴルフクラブシャフトをグリップする方法を図示する本発明の好ましい例の一つによるゴルフクラブシャフトの一連の部分的透視図である。
【００２３】
図１７はゴルフクラブシャフトをグリップする方法の別の例を図示する図１３と同様のゴルフクラブシャフトを示す。
【００２４】
図１８はゴルフクラブシャフトをグリップする方法の別の例を図示する図１３と同様のゴルフクラブシャフトを示す。
【００２５】
図１９はゴルフクラブシャフトをグリップする方法の別の例を図示する図１３と同様のゴルフクラブシャフトを示す。
【００２６】
図２０−２１は本発明の好ましい例の一つによるゴルフクラブシャフトをグリップする方法を図示する本発明の好ましい例の一つによるゴルフクラブシャフトの一連の部分的透視図である。
【００２７】
図２２−２４は本発明の好ましい例の一つによるゴルフクラブシャフトをグリップする方法を図示する通常のゴルフクラブシャフトの一連の部分的透視図である。
【００２８】
図２５は本発明の好ましい例の一つによるゴルフクラブシャフトをグリップする方法を使用してゴルフクラブシャフトのまわりの指の配置を図示する図５と同様のゴルフクラブの横断面である。
【００２９】
発明の詳細な記述
図を参照すると、そこでは同様の構成要素は同様の番号によって識別されているが、改良されたゴルフクラブシャフト及びグリップの好ましい例が図１−１２に示されている。図７に図示されるように、典型的なゴルフクラブ７５はヘッド４５、ホーゼル５５及びシャフト６５を備えている。シャフト６５は上端６７及び下端６９を有する。シャフト６５の下端６９はホーゼル５５に取付けられている。クラブヘッド４５はシャフト６５の反対側のホーゼル５５に取付けられている。グリップ８５はシャフト６５の一部を包囲し、それは一般にシャフト６５の上端６７で開始し、シャフト６５に沿ってシャフト６５の上端６７と下端６９の中間の位置まで延びる。図１に示されるように、ゴルファ２５はゴルフクラブ７５をグリップ１８５でつかむことによってゴルフクラブ７５を保持するのが典型的である。
【００３０】
図１−６に示されたクラブシャフト１６５は次の三つの部分からなる：上部Ｕ、下部Ｂ、及び上部Ｕと下部Ｂの中間の中央部Ｍ。上部Ｕ及び下部Ｂは規定された均一な直径の円形横断面を有する円柱体を含む。シャフト１６５の中央部Ｍは複数の交互の矩形１６５ｂ及び円形１６５ａの横断面領域を含む。円形横断面１６５ａは均一な円柱形であり、シャフト１６５の上部Ｕ及び下部Ｂと同じ直径を有する。矩形横断面１６５ｂは長さＬ、幅Ｗ及び高さＨを有する。図４及び５に見られるように、矩形横断面１６５ｂの長さＬは円形横断面１６５ａの直径とほぼ同じである。矩形横断面１６５ｂの幅Ｗは長さＬより小さい。さらに、矩形横断面１６５ｂの幅Ｗ及び高さＨはゴルファが図２５に示されるように２本の指の間に矩形横断面１６５ｂを容易に位置させることを可能にするサイズを有する。グリップ１８５は図２−６に示されるように、シャフト１６５の上部Ｕ、中央部Ｍ、及び下部Ｂの一部をカバーする。シャフト１６５の中央部Ｍ内では、グリップ１８５は円形横断面領域１６５ａに対して凸状の輪郭を有する。かかる輪郭はシャフト１６５の中央部Ｍにおいて円形横断面領域１６５ａをカバーするグリップ１８５の部分が上部Ｕ及び下部Ｂの一部をカバーするグリップ１８５の部分と同じ外径を有することを可能にし、従ってゴルファにとってなじみやすいグリップ領域を提供する。図４及び５に図示されているように、シャフト１６５の中央部Ｍの矩形横断面領域１６５ｂをカバーするグリップ１８５の部分は円形横断面領域１６５ａをカバーするグリップ１８５のそれらの部分より密でない。この密度の不足は図２５に示されるように、ゴルファの手の２本の指の間に矩形横断面領域１６５ｂを置くことを妨げずにゴルファに快適性及び安定性を与える。
【００３１】
好ましい例では、中央部Ｍの円形横断領域１６５ａと矩形横断面領域１６５ｂの間の移行部及び上部Ｕと中央部Ｍを伴う下部Ｂの間の移行部は移行部における過剰な摩耗又は摩擦を防止するために円錐形にされてもよい。
【００３２】
図７は上述のように、シャフト６５及びグリップ８５を有する典型的なゴルフクラブ７５を図示する。他の好ましい例では、図８−１１に図示されるように、（図７に示されるような）シャフト６５は上端６７から下端６９まで均一な円柱形を維持し、一方グリップ８５は輪郭を変化する。図８−１１では、グリップ２８５，３８５，４８５，５８５は第一部分２８７，３８７，４８７，５８７及び第二部分２８９，３８９，４８９，５８９を含む。各グリップ２８５，３８５，４８５，５８５の第一部分２８７，３８７，４８７，５８７は図７に示されるようにゴルフクラブ７５の通常のグリップと同様の輪郭を含む。各グリップ２８５，３８５，４８５，５８５の第二部分２８９，３８９，４８９，５８９は通常のグリップとは異なる輪郭を有する少なくとも一つの輪郭を付けられた領域を含む。
【００３３】
図８に示されているように、グリップ２８５の第一部分２８７はシャフト６５をカバーし、上端６７で出発してグリップ２８５の第二部分２８９に当接するまで延びる。グリップ２８５の第二部分２８９はシャフト６５の下端６９と当接する第一部分２８７の間で延びる。グリップの第二部分２８９は凸状である。
【００３４】
図９及び１０は第二部分３８９，４８９の各々が通常の部分３８９ａ、４８９ａと突出部分３８９ｂ、４８９ｂを有するグリップ３８５、４８５を図示する。図９では、第二部分３８９の通常の部分３８９ａはグリップ３８５の第一部分３８７とグリップ３８５の第二部分３８９の突出部分３８９ｂの中間に位置される。突出部分３８９ｂは均一な幾何学的形状でシャフト６５を包囲する。図９では、突出部分３８９ｂは直立した六辺形に類似する。
【００３５】
図１０では、突出部分４８９ｂは第二部分４８９の通常部分４８９ａとグリップ４８５の第一部分４８７の中間である。突出部分４８９ｂは均一な幾何学的形状でシャフト６５を包囲する。図１０では、突出部分４８９ｂは凸状である。
【００３６】
図１１に示されているように、グリップ５８５の第二部分５８９ｂは多数の輪郭を含んでもよい。グリップ５８５の第一部分５８７はシャフト６５の上端６７から第二部分５８９の近くに当接するまで延びる。第二部分５８９は第一部分５８７の末端からシャフト６５の下端６９に向かって延びる。第二部分は短い通常部分５８９ａによって接続された突出部分５８９ｂを含む。突出部分５８９ｂは同じ又は異なる形状であってもよい。図１１では、突出部分５８９ｂは同じ形状である。さらに、突出部分５８９ｂはいかなる幾何学的形状であってもよい。図１１では、突出部分５８９ｂは樽状に造形されている。
【００３７】
図１２は図１−６に示されたような輪郭を付けられたゴルフクラブシャフト６６５、及び図１−８に示されたような輪郭を付けられた６８５の要素を組合わせた好ましい例を図示する。シャフト６６５は三つの区域：上区域Ｕ及び下区域Ｂ（それらの両方とも通常の円柱形を有する）；及びシャフト６６５の上区域Ｕと下区域Ｂの中間の中央区域Ｍを含む。中央区域Ｍは上区域Ｕと下区域Ｂの直径の約０．２５〜０．５倍の直径を有する円形横断面で円柱形に造形されている。区域間の移行部は急であっても穏やかであってもよい。図１２に図示されるように、上区域Ｕと中央区域Ｍの間の移行部は実質的に急で直角縁の境界であり、一方中央区域Ｍと下区域Ｂの間の移行部は穏やかで円錐形の移行部である。グリップ６８５は第一部分６８７及び第二部分６８９を含む。第一部分６８７は図７に示されるようにゴルフクラブ７５の通常のグリップと同様の輪郭を備える。グリップ６８５の第二部分６８９は通常のグリップとは異なる輪郭を有する少なくとも一つの輪郭付けされた領域を含む。図１２に示されているように、グリップ６８５の第一部分６８７は上端６６７で出発して第二部分６８９と当接するまでシャフト６６５をカバーする。グリップ６８５の第二部分６８９はシャフト６６５の当接する第一部分６８７と下端６６９の間に延びる。グリップ６６５の第二部分６８９はいかなる幾何学的形状を持ってもよい。図１２に示されたグリップ６６５の第二部分６８９は凸状である。
【００３８】
図１３−１８は図１−６に示されたゴルフクラブ７５をグリップするための好適な方法を図示する。ゴルファ２５はまず図１に示されるように、ゴルフクラブ７５のヘッド４５を当たる面（例えばゴルフコースのグリーン領域）及びゴルフボール３５に隣接させてゴルファ２５に垂直にゴルフクラブ７５を位置させる。ゴルファ２５は図１３に図示されるように、第一の手２７をゴルフクラブ７５に近接するように位置させ、第一の手２７の指を対応するグリップ１８５ｂによってカバーされかつ識別されるシャフトの矩形横断面領域１６５の一つの方に向ける。ゴルファは次いで図１４及び２５に図示されるように、第一の手２７の２本の指の間にシャフト１６５の矩形横断面領域１８５ｂを挿入する。図１４，１６及び１７に示されるように、シャフト１６５の矩形横断面領域１８５ｂは第一の手のいずれかの２本の指の間に挿入可能である：即ち、人差し指と中指の間（図１４）；中指と薬指の間（図１６）；及び薬指と小指の間（図１７）に挿入可能である。
【００３９】
いったんシャフト１６５が第一の手２７の指の間に適切に位置されると、図１４に示されるように、第一の手２７の指はシャフト１６５のまわりで閉じられ、第一の手２７から作られたこぶしの中にシャフト１６５を入れる。第二の手２９の指はシャフト１６５のまわりを包み、少なくとも部分的に第一の手２７に重ねる。第一の手２７の親指は図１５及び１８に図示されるように、第二の手２９によってカバーされるか又は第二の手２９がシャフトのまわりに包まれた後に第二の手２９の上に置かれる。いったん第一の手２７及び第二の手２９が適切に位置されると、ゴルファ２５は図１に示されるようにゴルフボール３５にアドレスしてゴルフクラブ７５をスイングするための準備をしてもよい。
【００４０】
上述の方法の別の例は図１９に示され、そこではシャフト１６５は第一の手２７の指と第二の手２９の指の間に位置される。第一の手２７及び第二の手２９は（図１９に図示される）同じ矩形横断面領域１８５ｂまたは異なる矩形横断面領域１８５ｂのいずれを利用してもよい。両手の指の間にシャフトを適切に位置させた後、第一の手２７及び第二の手２９はシャフト１６５のまわりで閉じられ、グリップ方法を完了する。
【００４１】
ゴルフクラブをグリップする方法の別の例は図２０及び２１に図示され、そこでは第一の手２７は図１３−１８に図示されるように上述の如く位置される。第二の手２９は第一の手２７から離れた位置でシャフト１６５のまわりで閉じられる。好ましくは、第二の手２９はシャフト１６５の上端６７と第一の手２７の中間に位置される。
【００４２】
上述の方法の特徴は図２２−２４に図示され、そこでは上のグリップのいずれかが（図７に示される）通常のゴルフクラブで使用される。
【００４３】
それゆえ当業者は本発明が幅広い有用性及び適用性を有することが容易に理解されるだろう。ここで記載したもの以外の本発明の多くの例及び適応、並びに多くの変形、修正及び均等配置が本発明の範囲から逸脱せずに本発明及びその前述の説明によって明らかであり、かつ合理的に示唆されるだろう。従って、本発明はその好ましい例に関してここで詳細に記載されたが、この開示は本発明の唯一の図示例であり、本発明の十分かつ可能な開示を与える目的のためになされたにすぎないことが理解されなければならない。前述の開示は本発明を限定するものとして又はいずれかのかかる他の例を除外するものとして意図又は解釈されず、本発明は添付の特許請求の範囲及びその均等範囲によってのみ限定される。
【図面の簡単な説明】
【００４４】
【図１】ゴルフクラブのスイングの準備中のゴルフクラブを持つゴルファを図示する本発明の好ましい例の一つによるゴルフクラブの透視図である。
【図２】ゴルフクラブシャフト及びグリップの好ましい例の形状を図示する側面図である。
【図３】クラブシャフトとグリップ側面の間の移行部を図示する図２の一領域の拡大図である。
【図４】クラブシャフト及びグリップの一つの輪郭を図示する線４−４に沿ってとった図２のゴルフクラブの横断面である。
【図５】クラブシャフト及びグリップの第二の輪郭を図示する線５−５に沿ってとった図２のゴルフクラブの横断面である。
【図６】クラブシャフト及びグリップの輪郭を図示する図２のゴルフクラブの正面図である。
【図７】通常のシャフト及びグリップ輪郭を有するゴルフクラブを図示する側面図である。
【図８】クラブシャフトを包囲する本発明のグリップの一例を図示する図７と同様のゴルフクラブシャフトを示す。
【図９】クラブシャフトを包囲する本発明のグリップの別の例を図示する図７と同様のゴルフクラブシャフトを示す。
【図１０】クラブシャフトを包囲する本発明のグリップの別の例を図示する図７と同様のゴルフクラブシャフトを示す。
【図１１】クラブシャフトを包囲する本発明のグリップの別の例を図示する図７と同様のゴルフクラブシャフトを示す。
【図１２】クラブシャフトを包囲する本発明のグリップの別の例を図示する図７と同様のゴルフクラブシャフトを示す。
【図１３】本発明の好ましい例の一つによるゴルフクラブシャフトをグリップする方法を図示する本発明の好ましい例の一つによるゴルフクラブシャフトの部分的透視図である。
【図１４】本発明の好ましい例の一つによるゴルフクラブシャフトをグリップする方法を図示する本発明の好ましい例の一つによるゴルフクラブシャフトの部分的透視図である。
【図１５】本発明の好ましい例の一つによるゴルフクラブシャフトをグリップする方法を図示する本発明の好ましい例の一つによるゴルフクラブシャフトの部分的透視図である。
【図１６】本発明の好ましい例の一つによるゴルフクラブシャフトをグリップする方法を図示する本発明の好ましい例の一つによるゴルフクラブシャフトの部分的透視図である。
【図１７】ゴルフクラブシャフトをグリップする方法の別の例を図示する図１３と同様のゴルフクラブシャフトを示す。
【図１８】ゴルフクラブシャフトをグリップする方法の別の例を図示する図１３と同様のゴルフクラブシャフトを示す。
【図１９】ゴルフクラブシャフトをグリップする方法の別の例を図示する図１３と同様のゴルフクラブシャフトを示す。
【図２０】本発明の好ましい例の一つによるゴルフクラブシャフトをグリップする方法を図示する本発明の好ましい例の一つによるゴルフクラブシャフトの部分的透視図である。
【図２１】本発明の好ましい例の一つによるゴルフクラブシャフトをグリップする方法を図示する本発明の好ましい例の一つによるゴルフクラブシャフトの部分的透視図である。
【図２２】本発明の好ましい例の一つによるゴルフクラブシャフトをグリップする方法を図示する通常のゴルフクラブシャフトの部分的透視図である。使用してゴルフクラブシャフトのまわりの指の配置を図示する図５と同様のゴルフクラブの横断面である。
【図２３】本発明の好ましい例の一つによるゴルフクラブシャフトをグリップする方法を図示する通常のゴルフクラブシャフトの部分的透視図である。使用してゴルフクラブシャフトのまわりの指の配置を図示する図５と同様のゴルフクラブの横断面である。
【図２４】本発明の好ましい例の一つによるゴルフクラブシャフトをグリップする方法を図示する通常のゴルフクラブシャフトの部分的透視図である。使用してゴルフクラブシャフトのまわりの指の配置を図示する図５と同様のゴルフクラブの横断面である。
【図２５】本発明の好ましい例の一つによるゴルフクラブシャフトをグリップする方法を使用してゴルフクラブシャフトのまわりの指の配置を図示する図５と同様のゴルフクラブの横断面である。
【図１】
2004255179.tif 000003
【図２】
2004255179.tif 000004
【図３】
2004255179.tif 000005
【図４】
2004255179.tif 000006
【図５】
2004255179.tif 000007
【図６】
2004255179.tif 000008
【図７】
2004255179.tif 000009
【図８】
2004255179.tif 000010
【図９】
2004255179.tif 000011
【図１０】
2004255179.tif 000012
【図１１】
2004255179.tif 000013
【図１２】
2004255179.tif 000014
【図１３】
2004255179.tif 000015
【図１４】
2004255179.tif 000016
【図１５】
2004255179.tif 000017
【図１６】
2004255179.tif 000018
【図１７】
2004255179.tif 000019
【図１８】
2004255179.tif 000020
【図１９】
2004255179.tif 000021
【図２０】
2004255179.tif 000022
【図２１】
2004255179.tif 000023
【図２２】
2004255179.tif 000024
【図２３】
2004255179.tif 000025
【図２４】
2004255179.tif 000026
【図２５】
2004255179.tif 000027